(57)【特許請求の範囲】
【請求項１】
ポンプと、ポンプのステムに取り付けられた液吐出部材と、キャップまたは容器上壁と液吐出部材との間に弾装された金属製ばねと、液吐出部材を上下方向と周方向に移動可能とした案内路を配設した案内部材とを備えた液吐出容器であって、
液吐出部材に、案内路に係合する突起を設け、
案内路が、上端を開放した挿脱案内溝と、上下案内溝および両溝の下端を結ぶ連結溝とを具え、該連結溝は、液吐出部材を最下降位置まで押し下げた位置において、液吐出部材の突起と係合する位置に設けられており、
液吐出部材を案内部材から離脱させることによって、金属製ばねを分別可能としたことを特徴とする液吐出容器。
【請求項２】
連結溝の上下案内溝側の端部に膨出部を設け、吐出ノズルの周方向への妄動を阻止するようにしたことを特徴とする請求項１記載の液吐出容器。
【請求項３】
上下案内溝と挿脱案内溝の下端を結ぶ連結溝が、周方向に延びる横溝であることを特徴とする請求項１または２記載の液吐出容器。
【請求項４】
挿脱案内溝が傾斜しており、該挿脱案内溝の下端と上下案内溝の下端を結ぶ連結溝が、円弧溝または横溝であることを特徴とする請求項２または３記載の液吐出容器。
【請求項５】
ポンプを取着したキャップと、ポンプのステムに取付られた吐出ノズルとを具え、吐出ノズルとキャップの間に金属製ばねを弾装した液吐出容器において、
キャップは、その上壁に、ノズル案内筒と上面にばね受部を設けたポンプ支持筒とが立設されており、
ノズル案内筒の内周には、少なくとも上下案内溝と上端を開放した挿脱案内溝と両者の底部を結ぶ連絡溝を含む案内路が刻設されており、
吐出ノズルの側周壁下端には、前記案内路に係合する突起が形成されており、
前記連絡溝は、吐出ノズルを最下降位置まで押し下げた位置において、突起と係合する位置に設けられており、
吐出ノズルをノズル案内筒から離脱させることによって、金属製ばねを分別可能としたことを特徴とする液吐出容器。
【請求項６】
ポンプのシリンダーを一体成形し、該シリンダーにピストンを装着したキャップと、ポンプのステムに取付られた吐出ノズルとを具え、吐出ノズルとキャップの間に金属製ばねを弾装した液吐出容器において、
キャップの外周に、少なくとも上下案内溝と上端を開放した挿脱案内溝と両者の底部を結ぶ連絡溝を含む案内路が刻設されており、
吐出ノズルの内周に、前記案内路に係合する突起が形成されており、
前記連絡溝は、吐出ノズルを最下降位置まで押し下げた位置において、突起と係合する位置に設けられており、
吐出ノズルをキャップから離脱させることによって、金属製ばねを分別可能としたことを特徴とする液吐出容器。
【請求項７】
案内路に係合する突起が、ノズル筒と同一の角度位置に設けられていることを特徴とする請求項６記載の液吐出容器。
【請求項８】
容器上壁に、ポンプのピストン部材を装着したシリンダー筒とノズル案内筒とを立設した容器と、ピストン部材に取着された吐出ノズルとを具え、容器上壁と吐出ノズルとの間にばねを弾装した液吐出容器において、
ノズル案内筒の内周には、少なくとも上下案内溝と上端を開放した挿脱案内溝と両者の底部を結ぶ連絡溝を含む案内路が刻設されており、
吐出ノズルの側周壁下端には、前記案内路に係合する突起が形成されており、
前記連絡溝は、吐出ノズルを最下降位置まで押し下げた位置において、突起と係合する位置に設けられており、
吐出ノズルをノズル案内筒から離脱させることによって、金属製ばねを分別可能としたことを特徴とする液吐出容器。
【請求項９】
上壁にポンプの取付筒を立設し、胴部に摺動板を嵌挿した容器と、取付筒に装着されたシリンダー筒とピストン板と、シリンダー筒の底板とピストン板との間に弾装された金属製ばねと、ピストン板の上面に装着された液溜筒とを具えた定量液注出容器において、
取付筒から露出したシリンダー筒上部外周に、少なくとも上下案内溝と上端を開放した挿脱案内溝と両者の底部を結ぶ連絡溝を含む案内路を刻設し、
液溜筒に連設された摺動筒の内周下端に、前記案内路に係合する突起が形成されており、
前記連絡溝は、吐出ノズルを最下降位置まで押し下げた位置において、突起と係合する位置に設けられており、
吐出ノズルをシリンダー筒から離脱させることによって、金属製ばねを分別可能としたことを特徴とする定量液吐出容器。
【請求項１０】
ポンプを取着したキャップと、ポンプのステムに取付られた噴霧ノズルとを具え、噴霧ノズルとキャップの間に金属製ばねを弾装した液吐出容器において、
キャップは、その上壁に、ノズル案内筒と上面にばね受部を設けたポンプ支持筒とが立設されており、
ノズル案内筒の内周には、少なくとも上下案内溝と上端を開放した挿脱案内溝と両者の底部を結ぶ連絡溝を含む案内路が刻設されており、
噴霧ノズルの側周壁下端には、前記案内路に係合する突起が形成されており、
前記連絡溝は、吐出ノズルを最下降位置まで押し下げた位置において、突起と係合する位置に設けられており、
噴霧ノズルをノズル案内筒から離脱させることによって、金属製ばねを分別可能としたことを特徴とする液吐出容器。
【発明の詳細な説明】
【０００１】
【発明の属する技術分野】
本発明は、液注出容器、とくに金属製のばねを分別可能とした液吐出部材を設けた液吐出容器に関する。
【０００２】
【発明が解決しようとする課題】
従来ポンプディスペンサーのばねには、金属製のばねが用いられ、シリンダー内に装着されていた。
近年、合成樹脂の再生利用のため、合成樹脂とそれ以外の材料との分別廃棄が求められるようになっている。
しかしながら、従来のポンプでは、ポンプとキャップ、容器は、簡単に分離することはできるが、ポンプ内のばねを取り出すことは簡単にできなかった。
そのため、金属製のばねと、合成樹脂製のポンプ本体、容器等とを分離して廃棄できないという問題点があった。
【０００３】
本発明は、上記の問題点を解決することを課題とし、金属製ばねを容易に分別できるようにしたポンプ付液吐出容器、或いはポンプ付定量液注出容器を提供することを目的とする。
【０００４】
【課題を解決するための手段】
本発明は、上記の課題を解決するため、液吐出容器として、ポンプと、ポンプのステムに取り付けられた吐出ノズルまたは噴霧ノズル等の液吐出部材と、キャップまたは容器上壁と液吐出部材との間に弾装された金属製ばねと、液吐出部材を上下方向と周方向に移動可能とした案内路を配設しキャップまたは容器に立設された案内部材とを備えた液吐出容器であって、液吐出部材を案内部材から離脱させることによって、金属製ばねを分別可能としたことを特徴とする構成を採用する。
【０００５】
液吐出容器の具体的実施形態として、ポンプと、ポンプのステムに取り付けられた液吐出部材と、キャップまたは容器上壁と液吐出部材との間に弾装された金属製ばねと、液吐出部材を上下方向と周方向に移動可能とした案内路を配設した案内部材とを備えた液吐出容器であって、液吐出部材に、案内路に係合する突起を設け、案内路が、上端を開放した挿脱案内溝と、上下案内溝および両溝の下端を結ぶ連結溝とを具え、該連結溝は、液吐出部材を最下降位置まで押し下げた位置において、液吐出部材の突起と係合する位置に設けられており、液吐出部材を案内部材から離脱させることによって、金属製ばねを分別可能としたことを特徴とする構成を採用する。
【０００６】
連結溝の実施例として、連結溝の上下案内溝側の端部に膨出部を設け、吐出ノズルの周方向への妄動を阻止するようにしたことを特徴とする構成、または、上下案内溝と挿脱案内溝の下端を結ぶ連結溝が、周方向に延びる横溝であることを特徴とする構成、さらにまた、挿脱案内溝が傾斜しており、該挿脱案内溝の下端と上下案内溝の下端を結ぶ連結溝が、円弧溝または横溝であることを特徴とする構成を採用する。
【０００７】
吐出ノズルを具えた液吐出容器の実施形態として、ポンプを取着したキャップと、ポンプのステムに取付られた吐出ノズルとを具え、吐出ノズルとキャップの間に金属製ばねを弾装した液吐出容器において、キャップは、その上壁に、ノズル案内筒と上面にばね受部を設けたポンプ支持筒とが立設されており、ノズル案内筒の内周には、少なくとも上下案内溝と上端を開放した挿脱案内溝と両者の底部を結ぶ連絡溝を含む案内路が刻設されており、吐出ノズルの側周壁下端には、前記案内路に係合する突起が形成されており、前記連絡溝は、吐出ノズルを最下降位置まで押し下げた位置において、突起と係合する位置に設けられており、吐出ノズルをノズル案内筒から離脱させることによって、金属製ばねを分別可能としたことを特徴とする構成を採用する。
【０００８】
案内路をキャップ外周に設けた液吐出容器として、ポンプのシリンダーを一体成形し、該シリンダーにピストンを装着したキャップと、ポンプのステムに取付られた吐出ノズルとを具え、吐出ノズルとキャップの間に金属製ばねを弾装した液吐出容器において、キャップの外周に、少なくとも上下案内溝と上端を開放した挿脱案内溝と両者の底部を結ぶ連絡溝を含む案内路が刻設されており、吐出ノズルの内周に、前記案内路に係合する突起が形成されており、前記連絡溝は、吐出ノズルを最下降位置まで押し下げた位置において、突起と係合する位置に設けられており、吐出ノズルをキャップから離脱させることによって、金属製ばねを分別可能としたことを特徴とする構成を採用し、案内路の実施例として、案内路に係合する突起が、ノズル筒と同一の角度位置に設けられていることを特徴とする構成を採用する。
【０００９】
容器上壁にポンプを設けた液吐出容器として、容器上壁に、ポンプのピストン部材を装着したシリンダー筒とノズル案内筒とを立設した容器と、ピストン部材に取着された吐出ノズルとを具え、容器上壁と吐出ノズルとの間にばねを弾装した液吐出容器において、ノズル案内筒の内周には、少なくとも上下案内溝と上端を開放した挿脱案内溝と両者の底部を結ぶ連絡溝を含む案内路が刻設されており、吐出ノズルの側周壁下端には、前記案内路に係合する突起が形成されており、前記連絡溝は、吐出ノズルを最下降位置まで押し下げた位置において、突起と係合する位置に設けられており、吐出ノズルをノズル案内筒から離脱させることによって、金属製ばねを分別可能としたことを特徴とする構成を採用する。
【００１０】
定量液注出容器として、上壁にポンプの取付筒を立設し、胴部に摺動板を嵌挿した容器と、取付筒に装着されたシリンダー筒とピストン板と、シリンダー筒の底板とピストン板との間に弾装された金属製ばねと、ピストン板の上面に装着された液溜筒とを具えた定量液注出容器において、取付筒から露出したシリンダー筒上部外周に、少なくとも上下案内溝と上端を開放した挿脱案内溝と両者の底部を結ぶ連絡溝を含む案内路を刻設し、液溜筒に連設された摺動筒の内周下端に、前記案内路に係合する突起が形成されており、前記連絡溝は、吐出ノズルを最下降位置まで押し下げた位置において、突起と係合する位置に設けられており、吐出ノズルをシリンダー筒から離脱させることによって、金属製ばねを分別可能としたことを特徴とする構成を採用する。
【００１１】
噴霧ノズルを具えた液吐出容器として、ポンプを取着したキャップと、ポンプのステムに取付られた噴霧ノズルとを具え、噴霧ノズルとキャップの間に金属製ばねを弾装した液吐出容器において、キャップは、その上壁に、ノズル案内筒と上面にばね受部を設けたポンプ支持筒とが立設されており、ノズル案内筒の内周には、少なくとも上下案内溝と上端を開放した挿脱案内溝と両者の底部を結ぶ連絡溝を含む案内路が刻設されており、噴霧ノズルの側周壁下端には、前記案内路に係合する突起が形成されており、前記連絡溝は、吐出ノズルを最下降位置まで押し下げた位置において、突起と係合する位置に設けられており、噴霧ノズルをノズル案内筒から離脱させることによって、金属製ばねを分別可能としたことを特徴とする構成を採用する。
【００１２】
【発明の実施の形態】
次に、本発明の第１実施形態について、図面を参照して説明する。
図１において、Ａはキャップ、Ｂはキャップに取着されたポンプ、Ｃはポンプに取着された吐出ノズル、Ｄは容器である。
キャップＡ、ポンプＢ、吐出ノズルＣ、容器Ｄは、いずれも合成樹脂をもって成形されている。
【００１３】
図１，２に示すように、キャップＡは、側周壁１と上壁２とを具え、上壁２の周縁にはノズル案内筒３が立設されており、中央部にはポンプ支持筒４が立設されている。
ノズル案内筒３には、図２（ｂ）に示すように、ほぼＵ字形の案内路５，５ａが対称位置に刻設されており、Ｕ字形の一方の上下案内溝６は上端が閉鎖されており、他方の挿脱案内溝７は上端が開放され、挿入口８となっている。
上下案内溝６と挿脱案内溝７は９０度の角度を隔てて位置し、下端は横溝９で連結され、上下案内溝６側の端部には、膨出部１０が設けられている。
【００１４】
ポンプ支持筒４は、内筒１１と外筒１２、上壁１３とからなっている。
内筒１１の内周はステムの案内面となっており、内筒１１と外筒１２との間にポンプのシリンダー部材Ｂ１を装着するようになっている。
上壁１３の周縁には、外筒１２を延長するようばね保持リング１４が立設され、該ばね保持リング１４から、内方に突出するばね位置決め用リブ１５が突設され、上壁１３上面をばね受け部としている。
【００１５】
図３に示すように、ポンプＢは、シリンダー部材Ｂ１とピストン部材Ｂ２とからなっている。
シリンダー部材Ｂ１は、取付筒２０と該取付筒２０に連接されたシリンダー筒２１とを具え、シリンダー筒２１下端には、縮径された弁受部２２が形成されている。
【００１６】
該弁受部２２の底壁には、開口２３が穿設され、開口２３の周辺部の底壁は、弁座２４となっている。
弁受部２２の内周には、所定の間隔を置いてリブ２５が立設されており、リブ２５の間は液流路となっている。
弁受部２２の下端からチューブ保持筒２６が垂設され、該チューブ保持筒２６には、ディッピングチューブ２７が嵌着されている。
【００１７】
前記弁受部２２には、弁体２８と弁軸２９とからなる上下に浮動する吸込弁３０が保持されている。
弁体２８の下部は弁部を形成し、弁座２４に接合するようになっており、弁体２８の外周には、複数のリブ３１が設けられ、弁体２８が前記リブ２５の間で、上下動可能、かつ周方向に妄動しないようにしている。
リブ３１の上面には、ピストン受リング３２が載置されている。
【００１８】
ピストン部材Ｂ２は、導出筒３３と、該導出筒３３の下端に連接されたピストン部３４と、摺動弁３５とを具えている。
導出筒３３の下端には、フランジ３６と内方に傾斜し弁軸２９に係合する内筒３７が設けられ、フランジ３６の下面には、複数の流路孔３８を穿孔した円錐筒３９が連接されている。
円錐筒３９の下端には、シリンダー筒２１内周に摺接する外輪４０が連接されており、内筒３７と円錐筒３９と外輪４０によって、ピストン部３４が構成されている。
【００１９】
導出筒３３のフランジ３６上方には、流通孔４１が穿孔され、導出筒３３の上部には、ステム４２が嵌着されている。
摺動弁３５は、導出筒３３の外周に摺接する内周壁と、シリンダー筒２１内周に摺接する外周筒とを具えており、中間に形成した連結部で連結されている。
【００２０】
吐出ノズルＣは、頂壁５０と側周壁５１を具えており、頂壁５０の中央部には、ステム４２に嵌着される取付筒５２が垂設されている。
側周壁５１の上端近くには、ノズル筒５３が突設されており、その内端は、取付筒５２に連接され、注出孔５４が穿孔されている。
【００２１】
側周壁５１の外周下端には、図１に示すように、キャップＡのノズル案内筒３に設けられた案内路５に係合する円形の突起５５が対称位置に突設されている。
側周壁５１と取付筒５２との間には、リブ５６が架設されており、リブ５６の下端とキャップＡの上壁１３の間に、金属製のばね５７が弾装されている。
【００２２】
次に、本実施形態の液吐出容器の作用効果について説明する。
液吐出容器は、まず、ポンプＢをキャップＡに取着し、ポンプＢのステム４２に吐出ノズルＣを取着することによってポンプ付キャップが組み立てられ、次いで、キャップＡを容器Ｄの口筒部に取着して液吐出容器が形成される。
【００２３】
吐出ノズルＣの組込みにあたっては、吐出ノズルＣの側周壁５１の突起５５を、ノズル案内筒３の挿脱案内溝７の挿入口８に位置合わせして押し込む。
突起５５が挿脱案内溝７の下端まで達したときには、取付筒５２は最下降位置にあるポンプＢのステム４２に嵌着されるようになっている。
次いで、吐出ノズルＣを時計方向に９０度廻すと、突起５５は、横溝９によって案内され、膨出部１０を乗り越え、上下案内溝６下方に位置させることができ、その位置で手を離すと、ばね５７によって、突起５５は上下案内溝６内を移動し、吐出ノズルＣはポンプＢの最上昇位置まで押上げられる。
【００２４】
本液吐出容器の使用にあたって、吐出ノズルＣを上下動させると、ピストン部材Ｂ２を上下動させ、一定の内容液を吐出させることができる。
その際、吐出ノズルＣの突起５５は、上下案内溝６を上下し、吐出ノズルＣ、ピストン部材Ｂ２の最上昇位置、最下降位置が規制される。
また、横溝９との接続部の膨出部１０が突起５５の横動き、すなわち、吐出ノズルＣの廻動を阻止し、一定角度位置に維持することができる。
【００２５】
吐出後に、容器をしまっておくとき、必要な場合には、吐出ノズルＣを最下降位置まで押し下げ、吐出ノズルＣをわずかに廻動させ、突起５５を膨出部１０に係合させることによって、吐出ノズルＣの押し下げ状態でしまうことができる。
【００２６】
使用後の容器の廃棄にあたっては、図４に示すように、吐出ノズルＣを反時計方向に９０度廻動すると、側周壁５１の突起５５が膨出部１０を乗り越えて、横溝９に案内され、上下案内溝６の下方にくると、ばね５７が伸張し、吐出ノズルＣは、最上昇位置まで上昇する。
次いで、吐出ノズルＣを把持して上方に引き上げると、吐出ノズルＣの取付筒５２はステム４２から取り外れ、ばね５７を取り外すことができ、金属製のばね５７を分別して廃棄することができる。
【００２７】
前記実施形態では、ポンプＢとして特定の構造を示して説明したが、ポンプは、キャップと吐出ノズルとの間にポンプを作動させるばねを弾装したものであれば、ポンプの内部構造、形状は適宜に変更してもよい。
【００２８】
次に案内路の変形実施例について説明する。
前記実施形態では、案内路をＵ字形として、二つの縦方向に延びる案内路を９０度の間隔をおいて配置したが、角度は吐出ノズルが廻動されたことを判別できればよく、９０度でなくてもよい。
また吐出ノズルの挿入、離脱時の廻動方向も実施形態の方向と反対にしてもよい。
【００２９】
また、案内路は、図５に示すように、挿脱案内溝を傾斜させてもよい。
図５（ａ）において、６ａは上下案内溝、７ａは傾斜した挿脱案内溝、８ａは挿入口、９ａは横溝、１０ａは膨出部である。
【００３０】
挿入口８ａは、上下案内溝６ａに対して６０度の角度位置にあり、挿脱案内溝７ａの下端は、３０度の角度位置となっている。
離脱時に、吐出ノズルＣを反時計方向に３０度廻すと、吐出ノズルＣの側周壁５１の突起５５は、挿脱案内溝７ａの下端に達し、手を離すと、吐出ノズルＣは最上昇位置まで押し上げられる。
【００３１】
図（ｂ）は、他の変形例で、７ｂは傾斜した挿脱案内溝で、その下端は、円弧溝９ｂをもって上下案内溝６ｂの下端に連結している。
【００３２】
吐出ノズルＣを反時計方向に少し廻すと、突起５５は膨出部１０ｂを越え、ばね５７の力によって、円弧に沿って徐々に上昇し始め、次いで、傾斜した挿脱案内溝７ｂに案内され、吐出ノズルＣは最上昇位置まで上昇する。
【００３３】
次に、第２実施形態について説明する。
本実施形態は、案内路を、ノズルを案内するキャップの外周面に配設したものである。
図６において、Ａａは容器Ｄａの口部に螺合され、中央にポンプＢａのシリンダーを一体成形したキャップ、ＣａはポンプＢａのステムに装着された吐出ノズル、Ｄａは容器である。
【００３４】
キャップＡａは、上壁６０と側周壁６１とを備えており、上壁６０の中央には、ポンプＢａのシリンダーＢａ１が垂設されている。
上壁６０上面には、取付リング６２が立設されており、該取付リング６２には、ピストンのステム６３を嵌挿させた案内筒６４が取着されている。
【００３５】
図７に示すように、側周壁６１の外周には、一対の案内路６５が設けられており、該案内路６５は、上下案内溝６６、上端を開放して挿入口６７とした挿脱案内溝６８と、両者の底部を結ぶ横溝６９とからなり、横溝６９の上下案内溝６６側の端部には、膨出部７０が設けられている。
図６に示すように、側周壁６１の内周には、容器Ｄａの口部７１の外周に螺設されたねじ７２に螺合するねじ７３が螺設され、キャップＡａは、パッキンを介して容器Ｄａの口部７１に取着されている。
【００３６】
ポンプＢａは、シリンダーＢａ１と、その筒内に摺動自在に嵌挿され、中央に吐出弁を具えたピストンを有しており、ピストンの上面には、前記ステム６３が立設されている。
シリンダーＢａ１の下方には、内部に吸込み弁を具え、吸込みパイプ７４を取着した吸込み筒７５が垂設されている。
【００３７】
吐出ノズルＣａは、頂壁８０と側周壁８１とを具えており、頂壁８０の中央部には、ステム６３に嵌着される取付筒８２が垂設されている。
側周壁８１の上端近くには、ノズル筒８３が突設されており、その内端は、取付筒８２に連接され、吐出孔８４が穿孔されている。
【００３８】
側周壁８１の外周下端には、キャップＡａの側周壁６１外周に設けられた案内路６５に係合する円形の突起８５が、ノズル筒８３と同一角度位置とその対称位置に突設されている。
側周壁８１と取付筒８２との間には、リブ８６が架設されており、リブ８６の下端とキャップＡａの上壁６０の間に、金属製のばね８７が弾装されている。
【００３９】
次に、第２実施形態の作用効果について説明する。
吐出ノズルＣａのキャップＡａへの組込みにあたって、案内路６５を外側からみることができるので、ノズル筒８３の方向を挿脱案内溝６８の挿入口６７に一致させ、押し下げることによって、突起８５が挿脱案内溝６８に係合され、溝下端に達したときに、取付筒８２は、最下降位置にあるステム６３に嵌着される。
【００４０】
次いで、吐出ノズルＣａを時計方向に所定角度廻すと、突起８５が横溝６９によって案内され、上下案内溝６６下方に位置させることができ、その位置で手を離すと、ばね８７によって吐出ノズルＣａは最上昇位置まで上昇される。
【００４１】
容器の使用態様、使用後の分別廃棄については、第１実施形態と同一の作用効果をもたらすことが出来る。
【００４２】
次に、第３実施形態について説明する。
本実施形態は、容器の上部にポンプを立設した液吐出容器に係るものである。
図８において、Ｄｂは容器、Ｂｂはポンプ、Ｃｂは吐出ノズル、Ｅはオーバーキャップであり、容器Ｄｂには、クリーム状の内容物が充填されている。
【００４３】
容器Ｄｂは、上壁９０と円筒胴部９１と底部９２とからなり、円筒胴部９１内周には、中央を栓体９３で密封し、周辺を弾性スカート板９４とした摺動板９５が上下摺動自在として嵌挿されている。
底部９２には、通気孔９６を穿孔した底蓋９７が嵌着されている。
【００４４】
容器Ｄｂの上壁９０には、ポンプＢｂのシリンダー部材Ｂｂ１を形成するシリンダー筒９８が立設されており、中央には弁孔９９が穿孔され、その周辺は弁座を形成している。
シリンダー筒９８の内周下端は縮径され、弁孔９９を開閉する吸込み弁１００が装着されている。
吸込み弁１００は、縮径部に嵌着された弁支持環に複数の弾性体によって連結されており、上下動自在となっている。
【００４５】
図９に示すように、上壁９０の周辺に沿って、吐出ノズルＣｂのためのノズル案内筒１０１が立設され、該ノズル案内筒１０１の外周には、膨出環１０２が突設され、内周には、一対の案内路１０３が設けられている。
案内路１０３は、第１実施形態と同様に、上下案内溝１０４と上端に挿入口１０５を設けた挿脱案内溝１０６と、両案内溝の底端を結ぶ横溝１０７とからなり、横溝１０７の上下案内溝１０４側の端部に膨出部１０８が設けられている。
【００４６】
図１０に示すように、ポンプＢｂのピストン部材Ｂｂ２は、周縁に弾性スカート板１１０を配設し、中央に吐出孔１１１を穿孔したピストン板１１２とピストン板１１２に連設された液溜筒１１３とを具えている。
液溜筒１１３の上端には、中央に連通口１１４を設けた栓蓋１１５が嵌着されており、栓蓋１１５の下側には、弾性リング１１６を介して吐出孔１１１を開閉する吐出弁１１７が連設されている。
【００４７】
吐出ノズルＣｂは、傾斜した頂壁１２０と側周壁１２１とを具え、頂壁１２０の中央部には、液溜筒１１３に嵌着される取付筒１２２が垂設されている。
頂壁１２０の上方には、取付筒１２２に連通する吐出孔１２３を穿孔したノズル筒１２４が斜め方向に延びるよう立設されており、ノズル筒１２４の先端には、吐出孔１２３を開閉する栓体１２５が取着されている。
【００４８】
側周壁１２１の外周下端には、ノズル案内筒１０１に設けられた案内路１０３に係合する円形の突起１２６が突設されている。
頂壁１２０に近接して、側周壁１２１と取付筒１２２の間には、複数のリブ１２７が架設されており、リブ１２７の下端面と、容器上壁９０との間には、金属製のばね１２８が装着されている。
【００４９】
オーバーキャップＥは、図８に示すように、頂壁１２９と側周壁１３０とからなり、側周壁１３０の内周下方部には、ノズル案内筒１０１の外周の膨出環１０２に係合する膨出環１３１が設けられている。
【００５０】
次に、本実施形態の作用効果について説明する。
吐出ノズルＣｂの組込みにあたっては、第１実施形態と同様に、吐出ノズルＣｂの側周壁１２１の突起１２６を、ノズル案内筒１０１の挿脱案内溝１０６の挿入口１０５に位置合わせして押し込むと、突起１２６が挿脱案内溝１０６の下端に達すると同時に、取付筒１２２が最下降位置にあるピストン部材Ｂｂ２の液溜筒１１３に嵌着される。
【００５１】
次いで、吐出ノズルＣｂを時計方向に所定角度廻動させると、突起１２６は横溝１０７に案内され、上下案内溝１０４の下端に位置させることができ、その位置で手を離すと、ばね１２８によって、吐出ノズルＣｂは、ポンプのピストン部材Ｂｂ２の最上昇位置まで上昇する。
【００５２】
内容物の吐出にあたっては、吐出ノズルＣｂを上下動させると、ピストン部材Ｂｂ２が上下動することによって、容器Ｄｂ内から内容物をシリンダー筒９８内に吸込み、次いで、液溜筒１１３に吐出し、吐出孔１２３より吐出する。
同時に、摺動板９５が上昇し、容器Ｄｂ内が内容物で充満される。
【００５３】
使用後の容器の廃棄にあたっては、前記第１実施形態と同様に、吐出ノズルＣｂを反時計方向に所定角度廻動させると、ばね１２８によって、吐出ノズルＣｂが上昇する。
次いで、吐出ノズルＣｂを引き上げると、ピストン部材Ｂｂ２の液溜筒１１３とともにピストン板１１２をシリンダー筒９８より取り外すことができ、金属製のばね１２８を分別廃棄することができる。
【００５４】
次に、第４実施形態について説明する。
本実施形態は、定量液注出容器に係るものである。
図１１において、Ｄｃは容器、Ｂｃは容器口部に装着されたポンプ、Ｅｃはオーバーキャップであり、容器Ｄｃには、クリーム状の内容物が充填されている。
【００５５】
容器Ｄｃは、上壁１４０と円筒胴部１４１と底部１４２とを具え、上壁１４０の中央には、弁孔１４３が穿孔され、周縁に沿って、段部１４４をおいてポンプＢｃを取り付ける取付筒１４５が立設されており、取付筒１４５の外周には、ねじ１４６が螺設されている。
円筒胴部１４１の内周には、周縁を弾性スカート板１４７とし、上下に摺動する摺動板１４８が装着されており、底部１４２には、中央に開口を穿孔した底蓋１４９が嵌着されている。
【００５６】
ポンプＢｃは、シリンダー部材Ｂｃ１とピストン部材Ｂｃ２、およびシリンダー部材Ｂｃ１内に弾装された金属製のばね１５０とからなり、シリンダー部材Ｂｃ１は中間部にフランジ１５１を設けた有底のシリンダー筒１５２によって形成され、フランジ１５１は、取付筒１４５の上端面に接合し、シリンダー筒１５２の下方部は、取付筒１４５の内周に嵌着されている。
【００５７】
シリンダー筒１５２の底板１５３には、弁孔１４３を開閉する吸込み弁１５４が形成されている。
図１２に示すように、シリンダー筒１５２の上方部外周には、フランジ１５１を底面として、ピストン部材Ｂｃ２を案内する案内路１５５が設けられており、案内路１５５は、上下案内溝１５６と、上端に挿入口１５７を設けた挿脱案内溝１５８と両案内溝を結ぶ横溝１５９とからなり、横溝１５９の上下案内溝１５６側の端部に膨出部１６０が設けられている。
【００５８】
図１１，１２に示すように、ピストン部材Ｂｃ２は、周縁に弾性板１６１を設け、中央に開孔１６２を穿孔したピストン板１６３と、該ピストン板１６３に連設され、液溜室１６４ａを形成する液溜筒１６４とを具えている。
液溜筒１６４は、弾性板１６１の上部周壁内周によってピストン板１６３と締着されており、下端には、連結片を介して開孔１６２を開閉する吐出弁１６５が取着されている。
【００５９】
液溜筒１６４の外周には、フランジ１６６が突設され、フランジ１６６周縁から下方に延びる摺動筒１６７が連設されている。
摺動筒１６７の内周は、シリンダー筒１５２の外周に摺動自在に係合するとともに、内周下端には、案内路１５５に係合される一対の円形の突起１６８が突設されており、突起１６８に対応する外周下端には、位置合わせのための突条１６９が突設されている。
【００６０】
オーバーキャップＥｃは、頂壁１７０と、側周壁１７１とからなり、側周壁１７１の内周には、取付筒１４５のねじ１４６に螺合するねじ１７２が螺設されている。
【００６１】
次に、本実施形態の作用効果について説明する。
注出容器の組込みにあたっては、まず、シリンダー筒１５２が、容器Ｄｃの取付筒１４５内に嵌着され、シリンダー筒１５２内にばね１５０が挿入される。
【００６２】
次に、液溜筒１６４が取着されたピストン板１６３を、その摺動筒１６７の突起１６８をシリンダー筒１５２上部の挿脱案内溝１５８の挿入口１５７に位置合わせして押し込む。
突起１６８が挿脱案内溝１５８の下端に達したときに、液溜筒１６４を所定角度廻動させると、突起１６８は、横溝１５９に案内されて上下案内溝１５６の下端に位置させることができ、その位置で液溜筒１６４がばね１５０によって上昇し、最上昇位置まで押し上げられる。
【００６３】
容器の使用にあたって、摺動筒１６７をもって上下動させると、ピストン板１６３上昇時に、吸込み弁１５４が開いて、容器Ｄｃ内から内容物を吸い込み、下降時に吐出弁１６５を開いて、液溜室１６４ａに一定量の内容物を吐出し、貯留することができる。
同時に、摺動板１４８が上昇し、容器Ｄｃ内が内容物で充満される。
【００６４】
使用後に容器を廃棄するときには、摺動筒１６７を反時計的に所定角度廻動させると、容器Ｄｃは挿脱案内溝１５８の下端に達し、ばね１５０によって上昇する。
そのまま摺動筒１６７を引き上げると、液溜筒１６４とともに、ピストン板１６３を取り外すことができ、ばね１５０を取り出し、分別廃棄することができる。
【００６５】
次に、第５実施形態について説明する。
本実施形態は、噴霧器に係るもので、第１実施形態において、吐出ノズルにかえ、噴霧ノズルを取着したものである。
図１３において、Ａｄはキャップ、Ｂｄはキャップに取着されたポンプ、ＦはポンプＢｄのステムに取着された噴霧ノズル、Ｅｄはオーバーキャップである。
キャップＡｄ、ポンプＢｄは、第１実施形態のキャップＡ、ポンプＢと同一の構成を有するもので、同一の構成部分には、同一の符号に添字ｄを付して図示し、簡単に説明する。
【００６６】
キャップＡｄは、側周壁１ｄと上壁２ｄとを具え、上壁２ｄの周縁に沿って段部１８０を残してノズル案内筒３ｄが立設されており、中央部には、ポンプ支持筒４ｄが立設されている。
図１４に示すように、ノズル案内筒３ｄの外周下端には、膨出部１８１が設けられ、内周には、第１実施形態と同様に、一対のほぼＵ字形の案内路５ｄが刻設されており、案内路５ｄは、上下案内溝６ｄと上端に挿入口８ｄを設けた挿脱案内溝７ｄと、両者の底部を連結する横溝９ｄとからなり、横溝９ｄの上下案内溝６ｄ側には、膨出部１０ｄが設けられている。
【００６７】
ポンプＢｄは、キャップＡｄのポンプ支持筒４ｄに取り付けられ、ポンプ支持筒４ｄ上面からステム４２ｄを突出させている。
【００６８】
噴霧ノズルＦは、頂壁１８２と側周壁１８３とを具え、頂壁１８２の中央部には、取付筒１８４が垂設されており、側周壁１８３の上方部には、噴出孔１８５を穿孔し、連通孔１８６を設けたノズルチップ１８７がリング状の支持穴に嵌挿され、支持穴の上部には、取付筒１８４に連通する流通孔１８８が設けられている。
【００６９】
側周壁１８３の外周下端には、案内路５ｄに係合する一対の突起１８９が突設され、側周壁１８３と取付筒１８４との間に、リブ１９０が架設されている。
リブ１９０下端と、キャップＡｄのポンプ支持筒４ｄの上面との間に、金属製のばね１９１が弾装されている。
【００７０】
本実施形態は、第１実施形態における吐出ノズルを噴霧ノズルにかえたものであり、使用にあたって、噴霧ノズルを上下動させることによって内容液を噴霧することができるという点で、特有の効果を有するものであるが、その他の点では第１実施形態と同一の作用効果をもたらすことができる。
【００７１】
【発明の効果】
本発明は、上記のように構成されているから、次の効果を奏する。
ポンプを作動させる金属製のばねを、吐出ノズル、噴霧ノズル等の液吐出部材とキャップまたは容器上壁との間に弾装し、液吐出部材を容易に離脱できるようにしているから、液吐出部材を上方に引き上げることによってポンプ部材との嵌着を解き、金属製のばねを取り外し分別廃棄することができる。
【図面の簡単な説明】
【図１】本発明液吐出容器の一部断面正面図である。
【図２】キャップの説明図で、（ａ）は断面正面図、（ｂ）はノズル案内筒内周の展開図である。
【図３】ポンプと吐出ノズルを説明する断面側面図である。
【図４】吐出ノズルの分離を説明する斜視図である。
【図５】案内路の変形実施例を示す図で、（ａ）は横溝型、（ｂ）は円弧溝型の説明図である。
【図６】第２実施形態の液吐出容器の断面立面図である。
【図７】キャップの正面図である。
【図８】第３実施形態の液吐出容器の断面立面図である。
【図９】ノズル案内筒内周の説明図である。
【図１０】ポンプと吐出ノズルの分解断面図である。
【図１１】第４実施形態の定量液注出容器の断面立面図である。
【図１２】ポンプ部材の分解説明図である。
【図１３】第５実施形態の液吐出容器の断面立面図である。
【図１４】キャップの案内筒内周の説明図である。
【符号の説明】
Ａ、Ａａ、Ａｄ              キャップ
Ｂ、Ｂａ、Ｂｂ、Ｂｃ、Ｂｄ  ポンプ
Ｂ１、Ｂｂ１、Ｂｃ１        シリンダー部材
Ｂａ１                      シリンダー
Ｂ２、Ｂｂ２、Ｂｃ２        ピストン部材
Ｃ、Ｃａ、Ｃｂ              吐出ノズル
Ｄ、Ｄａ、Ｄｂ、Ｄｃ        容器
Ｅ、Ｅｃ、Ｅｄ              オーバーキャップ
Ｆ                          噴霧ノズル
１、１ｄ、６１              側周壁
２、２ｄ、６０              上壁
３、３ｄ、１０１            ノズル案内筒
４、４ｄ                    ポンプ支持筒
５，５ａ、５ｄ、６５、１０３、１５５          案内路
６、６ａ、６ｂ、６ｄ、６６、１０４、１５６    上下案内溝
７、７ａ、７ｂ、７ｄ、６８、１０６、１５８    挿脱案内溝
８、８ａ、８ｄ、６７、１０５、１５７          挿入口
９、９ａ、９ｄ、６９、１０７、１５９          横溝
９ｂ                                          円弧溝
１０、１０ｂ、１０ｄ、７０、１０８、１６０    膨出部
１３                                上壁
２１                                シリンダー筒
３４                                ピストン部
４２、４２ｄ                        ステム
５０、８０、１２０、１８２          頂壁
５１、８１、１２１、１８３          側周壁
５２、８２、１２２、１４５、１８４  取付筒
５３、８３、１２４                  ノズル筒
５４                                注出孔
５５、８５、１２６、１６８、１８９  突起
５７、８７、１２８、１５０、１９１  ばね
６３              ステム
６４              案内筒
８４、１２３      吐出孔
９０、１４０      上壁
９１、１４１      円筒胴部
９２、１４２      底部
９４              弾性スカート板
９５              摺動板
９８、１５２      シリンダー筒
１１２、１６３    ピストン板
１１３、１６４    液溜筒
１６７            摺動筒
１８５            噴出孔
１８７            ノズルチップ
【図１】
0003980277.tif 000002
【図２】
0003980277.tif 000003
【図３】
0003980277.tif 000004
【図４】
0003980277.tif 000005
【図５】
0003980277.tif 000006
【図６】
0003980277.tif 000007
【図７】
0003980277.tif 000008
【図８】
0003980277.tif 000009
【図９】
0003980277.tif 000010
【図１０】
0003980277.tif 000011
【図１１】
0003980277.tif 000012
【図１２】
0003980277.tif 000013
【図１３】
0003980277.tif 000014
【図１４】
0003980277.tif 000015